(57)【要約】【課題】  予め設定された波長の光線を効率的に得ることが可能なスキャナの光源を構成する。【解決手段】  発光ダイオード１の温度−波長特性データに基づいて予め設定された波長の光線を得るための温度を前記温度制御手段３３の目標温度に設定する目標温度設定手段３４を備えた。【選択図】        図８
2005277158.tif 000002
【特許請求の範囲】
【請求項１】
Ｒ（赤）、Ｇ（緑）、Ｂ（青）の三原色を構成する３種の光源部のうちの少なくとも１つの光源部が複数の発光ダイオードを備えて構成され、前記発光ダイオードの温度を計測する温度センサと、前記複数の発光ダイオードの温度を調節する温度調節機構とを備え、前記温度センサからの計測信号に基づいて前記温度調節機構を制御して前記発光ダイオードを目標温度に維持する温度制御手段を備えているスキャナの光源ユニットであって、
前記発光ダイオードの温度−波長特性データに基づいて予め設定された波長の光線を得るための温度を前記温度制御手段の目標温度に設定する目標温度設定手段を備えているスキャナの光源ユニット。
【請求項２】
前記複数の発光ダイオードが基板の表面側に直線的な列状に支持されると共に、この基板に支持された複数の発光ダイオードの列の中央位置の基板に前記温度センサを備え、この基板の裏面側に接する状態で前記温度調節機構を備えている請求項１記載のスキャナの光源ユニット。
【請求項３】
前記温度調節機構が、前記基板の裏面側に接触するペルチェ素子と、このペルチェ素子において前記基板の反対側に配置された熱交換用のフィンとで構成されている請求項２記載のスキャナの光源ユニット。
【請求項４】
前記温度−波長特性データが、発光ダイオードの発光積算時間に対応して異なる特性となる構造であり、発光ダイオードの発光積算時間を求め、かつ、この発光時間の積算値に基づいて前記温度−波長特性データから予め設定された波長の光線を得るための目標温度を更新する目標温度更新手段を備えている請求項１〜３のいずれか１項に記載のスキャナの光源ユニット。
【発明の詳細な説明】
【技術分野】
【０００１】
本発明は、Ｒ（赤）、Ｇ（緑）、Ｂ（青）の三原色を構成する３種の光源部のうちの少なくとも１つの光源部が複数の発光ダイオードを備えて構成され、前記発光ダイオードの温度を計測する温度センサと、前記複数の発光ダイオードの温度を調節する温度調節機構とを備え、前記温度センサからの計測信号に基づいて前記温度調節機構を制御して前記発光ダイオードを目標温度に維持する温度制御手段を備えているスキャナの光源ユニットに関する。
【背景技術】
【０００２】
上記のように構成された光源ユニットと関連する技術として特許文献１及び特許文献２に示されるものが存在する。特許文献１では、写真フィルムの画像を取得するＣＣＤエリアセンサ型の光源部としてＬＥＤ光源を備えており、このＬＥＤ光源は基板に多数のＬＥＤ素子（本発明の発光ダイオード）を２次元に配置し、また、この基板の裏面側にペルチェ素子とサーミスタとを接触固定し、更に、ペルチェ素子には放熱フィンを備え、これに対応するファンを備えて構成されている。そして、温度制御部が、サーミスタによって温度を検知してペルチェ素子とファンとを駆動することにより基板の温度を予め設定した温度に維持するように構成されている。
【０００３】
特許文献２では、デジタルフォトプリンタを構成するスキャナの光源としてＬＥＤアレイ基板上にＬＥＤ（本発明の発光ダイオード）を備えている。この基板においてＬＥＤの取り付け面の反対側に温度センサを設け、この温度センサの測定結果は変動量補正部の変動量取得部に送られるように構成されている。前記変動量補正部は、光源の分光強度分布の変動に応じて画像信号を補正するものであり、温度センサの測定結果から光線の分光強度分布の変動量、即ち、山形分布の波長シフト量と、発光強度の変動量とを求めて画像信号を補正するように機能する。つまり、雰囲気温度下における光源からの光線の分光強度の変動量との関係を予め記憶保持してあり、温度センサで測定される温度から分光強度の変動量を求めることによりスキャナで取得した画像の補正を行うよう構成したものである。
【０００４】
【特許文献１】特開２００１‐３４６００２号公報  （段落番号〔００２６〕〜〔００７４〕、図５、図７、図８）
【特許文献２】特開２００１‐２２３８６１号公報  （段落番号〔００１９〕〜〔００４０〕、図１、図２）
【発明の開示】
【発明が解決しようとする課題】
【０００５】
カラーの写真フィルムの画像をスキャナによってデジタル化した画像データとして取得する処理を考えるに、この処理では光源からの光線が照射される写真フィルムの画像を光学レンズによって光電変換部に結像させ、この光電変換部によって、Ｒ（赤）・Ｇ（緑）・Ｂ（青）の三原色に対応した画像データに変換し、この三原色に対応した３種の画像データを取得し、保存するようになっている。
【０００６】
写真フィルムの画像を取得するスキャナとしては、写真フィルムと光電変換部とを相対的に移動（副走査方向への移動）させながら、写真フィルムの幅方向（主走査方向）の領域を走査する形態でＲ（赤）・Ｇ（緑）・Ｂ（青）の三原色の画像を同時に取得するものや、写真フィルムのコマの領域（２次元的な領域）を一度に撮影する形態で取得するもの、あるいは、Ｒ（赤）・Ｇ（緑）・Ｂ（青）の３種の光線を順次発光させ３度の発光によって画像を取得するもの等が提案されている。
【０００７】
このように写真フィルムの画像をデジタル信号化した画像データとして取得する際には、写真フィルムの画像を三原色に色分解を行うため、光電変換部は必然的にＲ（赤）、Ｇ（緑）、Ｂ（青）の三原色に対応した特定の波長における感度（分光感度）が最大となる構造のものが使用される。従って、特許文献１、２に示されるように、Ｒ（赤）、Ｇ（緑）、Ｂ（青）の三原色に対応した発光ダイオードを使用することの有効性を見い出すことができる。
【０００８】
具体的には、スキャナに使用する光源として、光電変換部における三原色の最大感度となる波長における光量の発光ダイオードを使用することがエネルギーの無駄を無くし、効率的なスキャニングを実現するため、このような発光ダイオードの使用が考えられているのである。
【０００９】
特に、光電変換部における分光感度に対応した波長の発光ダイオードを使用するものを考えた場合、この発光ダイオードの発光時における波長は温度に影響を受けるため画像データのカラーバランスを維持するためにも温度管理が重要となる。また、発光ダイオードの個体の性能のバラツキによって温度と波長との関係にもバラツキを生じているのが現状であり、しかも、この温度と波長との関係は経時的に変化するものであるため、この不都合も解消する必要がある。
【００１０】
本発明の目的は、予め設定された波長の光線を効率的に得ることが可能なスキャナの光源を構成する点にある。
【課題を解決するための手段】
【００１１】
本発明の特徴は、Ｒ（赤）、Ｇ（緑）、Ｂ（青）の三原色を構成する３種の光源部のうちの少なくとも１つの光源部が複数の発光ダイオードを備えて構成され、前記発光ダイオードの温度を計測する温度センサと、前記複数の発光ダイオードの温度を調節する温度調節機構とを備え、前記温度センサからの計測信号に基づいて前記温度調節機構を制御して前記発光ダイオードを目標温度に維持する温度制御手段を備えているスキャナの光源ユニットにおいて、
前記発光ダイオードの温度−波長特性データに基づいて予め設定された波長の光線を得るための温度を前記温度制御手段の目標温度に設定する目標温度設定手段を備えている点にある。
【００１２】
この構成により、温度−波長特性データに基づいて目標温度設定手段が、発光ダイオードから予め設定された波長の光線を得るための温度に維持するための目標温度を設定し、温度制御手段が目標温度に維持する制御を行うことになる。その結果、発光ダイオードから必要とする波長の光線を得て、効率的なスキャニングが可能となるばかりか、スキャニングを行った場合にもカラーバランスが良好な画像データを取得できるのである。特に、発光ダイオードは製造時に温度−波長特性のバラツキを生ずることも多いが、本発明によると、バラツキを生じた場合でも、発光ダイオードを温度−波長特性が等しくなる複数のグループに分け、その何れかのグループに属する発光ダイオードを用い、そのグループにおいて必要となる波長を得るための温度を設定することにより光源として使用できると云う効果も奏する。
【００１３】
本発明は、前記複数の発光ダイオードが基板の表面側に直線的な列状に支持されると共に、この基板に支持された複数の発光ダイオードの列の中央位置の基板に前記温度センサを備え、この基板の裏面側に接する状態で前記温度調節機構を備えても良い。
【００１４】
この構成により、複数の発光ダイオードを備えているものでありながら、この複数の発光ダイオードの温度を最も良好に反映する位置に配置した温度センサの計測信号を取得して温度調節機構を制御するので、精度の高い温度制御が実現され、さらには基板を介して複数の発光ダイオードの温度制御を行えるので、複数の発光ダイオードの温度調節を適正に行えるものとなる。
【００１５】
本発明は、前記温度調節機構が、前記基板の裏面側に接触するペルチェ素子と、このペルチェ素子において前記基板の反対側に配置された熱交換用のフィンとで構成されても良い。
【００１６】
この構成により、発光ダイオードの温度上昇を図る場合でも、温度低下を図る場合でもペルチェ素子に対する電力の通電方向の切り換えで済むものとなり、このように温度調節を行う際においてペルチェ素子の基板の反対側で吸熱を必要とする場合にも、放熱を必要とする場合でも、フィンを介して効率的な熱交換が可能となり、発光ダイオードの温度調節を迅速に行える。
【００１７】
本発明は、前記温度−波長特性データが、発光ダイオードの発光積算時間に対応して異なる特性となる構造であり、発光ダイオードの発光積算時間を求め、かつ、この発光時間の積算値に基づいて前記温度−波長特性データから予め設定された波長の光線を得るための目標温度を更新する目標温度更新手段を備えても良い。
【００１８】
この構成により、発光ダイオードの光線の波長が経時的に変化する場合でも、目標温度更新手段が、発光ダイオードの発光積算時間に対応して目標温度を更新することにより、発光ダイオードからの光線の波長が必要とする値となる最適な温度に維持する制御が可能となる。
【発明を実施するための最良の形態】
【００１９】
以下、本発明の実施形態を図面に基づいて説明する。
図１に示すように、光源ユニットＡ、フィルムキャリアＢ、レンズユニットＣ、光電変換部としての光電変換ユニットＤを備えて写真フィルムＦの画像情報をデジタル信号化して取り込むフィルムスキャナが構成されている。
【００２０】
このフィルムスキャナは、現像済みの写真フィルムＦのサイズ（１３５サイズ、２４０サイズ、１２０・２２０サイズ等）に対応したフィルムキャリアＢを装着自在に構成されると共に、光源ユニットＡからの光線をフィルムキャリアＢに支持された写真フィルムＦに照射する照明光学系と、写真フィルムＦを透過した光線をレンズユニットＣから前記光電変換ユニットＤに導く結像光学系とを備えている。結像光学系としてのレンズユニットＣは、写真フィルムＦの主走査方向に沿う領域からの可視光画像を光電変換ユニットＤに内蔵したＣＣＤ（ Charge Coupled Device）型のラインセンサの光電変換面に結像させると同時に、写真フィルムＦの主走査方向に沿う領域からの赤外光画像を光電変換ユニットＤに内蔵した赤外光（ＩＲ）用のＣＣＤ（ Charge Coupled Device）型のラインセンサの光電変換面に結像させるよう機能するものであり、前記光電変換ユニットＤは、写真フィルムＦの可視光画像をＲ（赤）、Ｇ（緑）、Ｂ（青）の三原色に対応したデジタル信号化した画像データ（可視光データ）として取得すると同時に、写真フィルムＦのゴミや傷に起因する赤外光画像をゴミや傷に対応する欠陥データ（赤外光データ）として取得するよう構成されている。
【００２１】
前記光源ユニットＡは、図２〜図４に示すように、前記三原色及び赤外光を送り出すよう、多数の発光ダイオード１を基板Ｐ（後述する第１、第２、第３基板Ｐ１、Ｐ２、Ｐ３の３つの基板の総称）において主走査方向に直線状に配置した光源部としての発光ダイオードアレイＬＥＤ（後述する発光ダイオードアレイＧ−ＬＥＤ、Ｂ−ＬＥＤ、Ｒ・ＩＲ−ＬＥＤの３種の発光ダイオードアレイの総称）を具備し、この発光ダイオードアレイＬＥＤからの光線を合流させ白色光線とした状態で上方に向けて送り出すよう構成されている。前記フィルムキャリアユニットＢは、長手方向を主走査方向に沿う姿勢に設定したスリット状のスキャンゲートＳＧが形成されたケース２０を備えると共に、写真フィルムＦを長手方向（副走査方向）に往復搬送させる複数の圧着型の搬送ローラ２１と、下面側の集光レンズ２２とを備えて構成されている。
【００２２】
前記レンズユニットＣは、フィルムキャリアＢに支持された写真フィルムＦの画像を前記光電変換ユニットＤに内蔵した前記ＣＣＤラインセンサ６の光電変換面に対して任意の拡大率で結像させるようズーム型の光学レンズ５を備えている。前記光電変換ユニットＤは、Ｒ（赤）、Ｇ（緑）、Ｂ（青）の三原色に対応した３ライン型のＣＣＤラインセンサ６と赤外光（ＩＲ）を感知する１ライン型のＣＣＤラインセンサ７とを内蔵すると共に、前記光学レンズ５からの可視光を透過させ、赤外光を反射させるダイクロイック型のスプリッター８を内蔵している。
【００２３】
スキャニングを行う際には、取り込む画像の画素数に基づいて光学レンズ５による拡大率（主走査方向での画素数）が設定されると同時に、フィルムキャリアＢでの写真フィルムＦの搬送速度（副走査方向での画素数）が設定され、この設定の後に、写真フィルムＦに対して光線を照射する状態で、前記搬送ローラ２１を駆動することにより写真フィルムＦを設定された速度で搬送し、この搬送速度と同期したタイミングで光電変換ユニットＤのＣＣＤラインセンサ６、７において主走査方向に沿うライン状の画像情報を取り込む処理が行われる。この処理が行われることにより、写真フィルムＦのコマに対応する赤色（Ｒ）、緑色（Ｇ）、青色（Ｂ）の２次元の画像データを得ると同時に、写真フィルムＦのコマに対応する赤外光（ＩＲ）の２次元画像データの構造を有する欠陥データを得るものとなる。この欠陥データを生成した後には、欠陥データに基づき、画像データにおける傷や塵埃等の欠陥位置が特定され、この欠陥位置の画像データに対して、輝度調整処理や、ニアレストネイバー法、バイリニア法、バイキュービック法等による補間処理を行うことにより、画像データの欠陥部分の修復が可能となる。
【００２４】
前記照明光学系は、前記発光ダイオードアレイＬＥＤからの光線を合流させて上方に送り出す合流光学系と、この合流光学系からの光線を拡散させるよう前記光源ユニットＡに内蔵された拡散板１０とで構成されている。
【００２５】
具体的に説明すると、前記光源ユニットＡは樹脂成形品で成る上壁部１１と、アルミニウム合金で成る側壁部１２と、同じくアルミニウム合金で成る底壁部１３とでケース状に形成されている。また、上壁部１１の内部には、その表面側に前記発光ダイオードアレイＬＥＤを形成した第１基板Ｐ１と、第２基板Ｐ２と、第３基板Ｐ３とを支持してあり、これら、第１基板Ｐ１、第２基板Ｐ２、第３基板Ｐ３の裏面側にペルチェ素子１４を備え、更に、このペルチェ素子１４における基板Ｐと反対側にアルミニウム製のフィン１５を備えている。この光源ユニットＡの側壁部１２には、３つのフィン１５に対して独立して冷却風を送る一対の電動型のファン１６を備えている。尚、光源ユニットＡの内部にはファン１６からの冷却風をフィン１５に導くための導風体１７を備えており、前記ペルチェ素子１４とフィン１５とファン１６とで温度調節機構が構成されている。
【００２６】
前記第１基板Ｐ１にチップ状の多数の緑色の発光ダイオード１を主走査方向に直線状に配置して成る緑色の発光ダイオードアレイＧ−ＬＥＤを備え、第２基板Ｐ２にチップ状の多数の青色の発光ダイオード１を主走査方向に直線状に配置して成る青色の発光ダイオードアレイＢ−ＬＥＤを備え、第３基板Ｐ３にチップ状の多数の第１、第２赤色の発光ダイオード１と、チップ状の多数の赤外光の発光ダイオード１とを交互に主走査方向に配置した赤色・赤外光の発光ダイオードアレイＲ・ＩＲ−ＬＥＤを備えている。夫々の発光ダイオードアレイＬＥＤに対応する位置に、夫々の発光ダイオードアレイからの光線を平行光線化するよう、夫々の発光ダイオード１に焦点位置を設定した平行化レンズ１８を備え、これらの平行化レンズ１８を介して送り出された光線を合流させるダイクロイック型のミラーＭ（後述する第１ミラーＭ１、第２ミラーＭ２の総称）を備えている。
【００２７】
つまり、緑色の発光ダイオードアレイＧ−ＬＥＤからの光線を上方に送る縦向き姿勢の第１光軸Ｌ１上に前記平行化レンズ１８と、第１ミラーＭ１とを配置し、青色の発光ダイオードアレイＢ−ＬＥＤからの光線を上方に送る縦向き姿勢の第２光軸Ｌ２上に前記平行化レンズ１８とを配置し、赤色・赤外光の発光ダイオードアレイＲ・ＩＲ−ＬＥＤからの光線を水平方向に送る横向き姿勢の第３光軸Ｌ３上に前記平行化レンズ１８と、第２ミラーＭ２とを配置している。前記第１、第２、第３光軸Ｌ１、Ｌ２、Ｌ３は、夫々の発光ダイオードアレイＬＥＤの形成方向（主走査方向）での中央位置で、かつ、前記基板Ｐに垂直となる仮想直線として設定されたものであり、第１光軸Ｌ１の延長上方に前記集光レンズ２２とスキャンゲートＳＧが配置され、前記第２光軸Ｌ２は前記第２ミラーＭ２において前記第３光軸Ｌ３と合流する位置に配置されている。
【００２８】
前記青色の発光ダイオード１の波長は４００〜４８０ｎｍ、緑色の発光ダイオード９の波長は５２０〜５６０ｎｍ、赤色の発光ダイオード１の波長は６２０〜７５０ｎｍ、赤外光の発光ダイオード１の波長は８３０〜９５０ｎｍのものが使用されている。前記第１ミラーＭ１は緑色の発光ダイオード１からの光線（５２０〜５６０ｎｍ）を透過し、これ以外の光線を反射する性能のものであり、前記第２ミラーＭ２は赤色光と赤外光と発光ダイオード１からの波長（６２０〜７５０ｎｍ及び８３０〜９５０ｎｍ）の光線を透過し、青色の発光ダイオード１からの波長（４００〜４８０ｎｍ）の光線を反射する性能のものを使用している。
【００２９】
このような構造から、前記緑色の発光ダイオードアレイＧ−ＬＥＤから第１光軸Ｌ１に沿って送り出される光線は、平行化レンズ１８で平行光線化した状態で第１ミラーＭ１を透過して第１光軸Ｌ１に沿って上方に送られ、前記青色の発光ダイオードアレイＢ−ＬＥＤから第２光軸Ｌ２に沿って送り出される光線は、平行化レンズ１８で平行光線化した状態で第２ミラーＭ２で反射して第３光軸Ｌ３と合流し、赤色・赤外光の発光ダイオードアレイＲ・ＩＲ−ＬＥＤから第３光軸Ｌ３に沿って送り出される光線は、平行化レンズ１８で平行光線化した後に第２ミラーＭ２を透過するものとなり、このように第３光軸Ｌ３に沿って送られる青色の発光ダイオードアレイＢ−ＬＥＤからの光線と、赤色・赤外光の発光ダイオードアレイＲ・ＩＲ−ＬＥＤからの光線とは第１ミラーＭ１で反射され、第１光軸Ｌ１に沿って上方に送られる結果、この第１光軸Ｌ１では、緑色の光線、青色の光線、赤色の光線（赤外線を含む）が合流した白色の光線が送られ、前記拡散板１０で拡散されるのである。
【００３０】
緑色の発光ダイオードアレイＧ−ＬＥＤを備えた部位を例に挙げて基板Ｐの詳細を説明すると、図５に示すように、基板Ｐは熱伝導率が高いアルミニウム製の基材の表面にセラミック材料等の絶縁層を形成した積層構造であり、この基板Ｐの絶縁層の表面に対して前述したチップ状の発光ダイオード１を主走査方向に沿って直線状にダイボンディングにより固定している。また、この基板Ｐにおいて前記発光ダイオード１の近傍位置に対して矩形の枠体２、反射体３夫々を発光ダイオードアレイＬＥＤの形成方向（主走査方向）と並行する姿勢で固定し、チップ状の発光ダイオード１と、基板Ｐに形成したプリント配線部Ｐａとをボンディングワイヤ４で結線することにより、プリント配線部Ｐａからの電力により発光ダイオード１を発光させ得るものにしている。
【００３１】
前記枠体２と反射体３とは耐熱性に優れた液晶性ポリマーによって一体形成されたものであり、前記反射体３は、発光ダイオード１と対向する側に対して傾斜姿勢の反射面３ａを備えており、図７に示すように、この複数の発光ダイオード１の形成方向（主走査方向）の中央位置の基板Ｐの表面にはサーミスタ等で成る温度センサＳを備えている。
【００３２】
前記拡散板１０は、主走査方向での長さが、前記発光ダイオードアレイＬＥＤの主走査方向の長さより充分に長く、副走査方向での幅が、前記平行化レンズ１８の副走査方向での幅より充分に大きい幅に形成されたサイズのビーム整形ディフューザ（ＬＳＤ）が使用されている。この拡散板１０は、図６に示すように、平坦な板状の樹脂製の素材の表面に微細な突出部１０ａを多数形成した拡散面を備えており、素材の表面に対して直交する姿勢の軸Ｘに沿って入射した光線を設定された角度θとなる範囲に拡散させる機能を有するものである。この拡散板１０では、同図に示す如く入射した光線を拡散させる角度θとして３０〜４０度程度の性能のもの（軸Ｘを中心として頂点の角度θが３０〜４０度程度となる円錐形に拡散する性能のもの）を使用している。
【００３３】
図８に示すように、フィルムスキャナの制御系が構成されている。この制御装置は第１基板Ｐ１と、第２基板Ｐ２と、第３基板Ｐ３夫々に対して独立した制御を実現するものであるが、同図においては１つの基板Ｐに対する制御系の構成要素を示している。
【００３４】
つまり、マイクロプロセッサを備えた制御装置３０に対して前記温度センサＳからの計測信号がＡ／Ｄ変換器２５を介して入力する入力系、及び、ランクスイッチ２６からの信号が入力する入力系が形成されると共に、制御装置３０から複数の発光ダイオード１で構成される発光ダイオードアレイＬＥＤ、ペルチェ素子１４、一対のファン１６夫々に対してＰＷＭ式に電力を制御するドライバ２７を介して電力を供給する出力系が形成されている。
【００３５】
制御装置３０は前記入力系からの信号の入力を許し、前記出力系に対する信号の出力を許すインタフェース３１（Ｉ／Ｏ）を備えると共に、半導体メモリＲＡＭ／ＲＯＭ及びＥＥＰＲＯＭを備え、また、発光ダイオード１への供給電力を制御する光量制御手段３２と、発光ダイオードアレイＬＥＤを構成する複数の発光ダイオード１の温度を制御する温度制御手段３３と、この温度制御手段３３での制御時における目標温度を設定する目標温度設定手段３４と、発光時間の積算値に基づいて目標温度を更新する目標温度更新手段３５と、発光ダイオード１の発光時間を積算する発光時間積算手段３６とを備えている。
【００３６】
前記光量制御手段３２と、温度制御手段３３と、目標温度設定手段３４と、目標温度更新手段３５と、発光時間積算手段３６とはソフトウエアで構成されているが、これらをソフトウエアとハードウエアとの組み合わせで構成することや、ハードウエアで構成することも可能である。また、光量制御手段３２は前記発光ダイオードアレイＬＥＤを構成する複数の発光ダイオード１に対して予め設定された電力を供給する単純な制御を行う処理を実行する。
【００３７】
この制御装置３０では、発光ダイオード１からの光線の波長を目標値に維持するための制御プログラム（前記温度制御手段３３と目標温度設定手段３４と目標温度更新手段３５と発光時間積算手段３６とで構成されている）での処理の概要を図９のフローチャートのように示すことが可能である。つまり、前記ＥＥＰＲＯＭ（積算時間保存手段として機能する）に保存された積算時間を取得し、この積算時間に対応した目標温度Ｔｘを目標温度テーブル（Ｔａｂｌｅ）に基づいて設定する（＃０１、＃０２ステップ）。この処理では後述するように発光ダイオード１が発光した積算時間がＥＥＰＲＯＭに保存されており、この積算時間を取得した後に、この積算時間が予め設定された目標温度テーブルの積算時間に合致する場合には、その積算時間に対応する目標温度Ｔｘを抽出して、これを目標温度Ｔｘに設定する処理を行うことを意味している。
【００３８】
つまり、発光ダイオード１の温度−波長特性の一例を示すグラフを図１０のように示すことが可能であり、このグラフに示される特性からＲ（赤）・Ｇ（緑）・Ｂ（青）の三原色を構成する発光ダイオード１から必要とする波長の光線を得るように目標温度Ｔｘが設定される。また、前記グラフに示す傾向は経時的に変化するため、この制御装置３０では経時的に異なる特性となる温度−波長特性に基づいて、予め設定された時間経過に対応して設定された目標温度Ｔｘを前記目標温度テーブル（Ｔａｂｌｅ）として予め保存しており、例えば、１０００時間毎に目標温度テーブルに保存されている目標温度Ｔｘを更新する処理が実行されるのである。尚、必要とする波長とは、前記Ｒ（赤）、Ｇ（緑）、Ｂ（青）の三原色に対応した３ライン型のＣＣＤラインセンサ６において三原色における分光感度が最高となる波長のことである。
【００３９】
次に、温度センサＳから計測温度Ｔｓを取得し、この計測温度Ｔｓと目標温度Ｔｘとから温度制御を実行し、発光時間を積算する（＃０３〜＃０５ステップ）。＃０４ステップでは目標温度Ｔｘに数値ｄを与えて不感帯を設定した状態において、前記ペルチェ素子１４に通電して加熱を行う条件、前記ペルチェ素子１４に対して逆方向に通電し、かつ、ファン１６を駆動して放熱を行う条件、加熱も放熱も行わない条件を示しているが、厳密には、ＰＩＤ制御により加熱時においてペルチェ素子１４に供給する電力を制御し、放熱時においてペルチェ素子１４に逆方向に供給する電力を制御し、ファン１６を駆動する電力を制御している。また、＃０５ステップでは、発光ダイオード１の発光時間を単純に積算する処理が行われる。
【００４０】
この制御はフィルムスキャナの稼働が終了するまで継続して行われ、終了する際には発光時間の積算した積算時間を前記ＥＥＰＲＯＭにオーバライトする形態で保存する処理が行われるのである（＃０６、＃０７ステップ）。尚、これらの制御のうち＃０２ステップが目標温度設定手段３４での処理に対応し、＃０４ステップが温度制御手段３３での処理対応し、＃０５、＃０２ステップとを併せたものが目標温度更新手段３５に対応する。
【００４１】
処理として示していないが、前記ランクスイッチ２６（ランク認識手段）はＲ（赤）・Ｇ（緑）・Ｂ（青）の３種の発光ダイオード１のランク番号を入力するために、制御装置３０の基板上等に備えられた複数のディップスイッチやロータリ型のスイッチ等、複数ビットの信号を出力するよう構成されたものである。
【００４２】
発光ダイオード１の製造時には温度−波長特性にバラツキを生ずることがあり、このようにバラツキを生じた場合には、発光ダイオードを同じ温度−波長特性を持つ複数のグループに分類して夫々にランク番号を与えておき、同じランク番号（同じグループ）の発光ダイオード１を用いて前記発光ダイオードアレイＬＥＤを形成している。また、同じランク番号（同じグループ）の発光ダイオード１に対しても前述したものと同様に夫々のランク番号に対応した温度−波長特性が与えられるものであり、前記ＥＥＰＲＯＭにはランクデータとして夫々のランク番号に対応した温度−波長特性に基づいて必要とする波長を得るための目標温度Ｔｘ、及び、積算時間に対応して更新されるべき目標温度Ｔｘを保存してある。そして、ランクスイッチ２６を操作することによりランク番号に対応する値が目標温度Ｔｘとして保存されるように処理形態が設定されているのである。
【００４３】
因みに、発光ダイオード１の温度−波長特性にバラツキがある場合でも、温度の単位変化に対する波長の変化量には大きな差を生ずるものではないため、前述のようにランク番号に基づいて目標温度Ｔｘを与えた後には、基準となるランク番号とにおける目標温度Ｔｘとのオフセット量を予め設定しておき、基準となるランク番号の発光ダイオード１において必要とする波長を得るための温度に対してオフセット量を加算することや減算する処理によって、そのランク番号における目標温度Ｔｘを設定するよう処理形態を設定しても良い。
【００４４】
このように、このフィルムスキャナでは、Ｒ（赤）・Ｇ（緑）・Ｂ（青）の三原色の発光ダイオード１から予め設定された波長の光線を得るための目標温度Ｔｘを自動的に設定し、複数の発光ダイオード１のうち最も適正な温度を計測できる位置に配置した温度センサＳの計測信号に基づいて精度の高い温度制御が可能になるばかりでなく、複数の発光ダイオード１を支持する基板Ｐを介して加熱と放熱とを行うので、高精度の温度制御を実現することになる。そして、このように必要とする波長の光線を得ることから、効率的なスキャニングが可能となり、スキャニングを行った場合にも、カラーバランスが良好な画像データを取得できるものとなっている。
【００４５】
特に本発明では、発光ダイオードアレイＬＥＤを構成する複数の発光ダイオード１として同じランクにものを使用するので、特定の性能の発光ダイオード１のみを使用するものと比較して、コストダウンが可能となり、また、発光ダイオード１の経時的な特性の変化に対応した処理を実行することにより、長期に亘って効率的にスキャニングを行い、長期に亘って良好な画像データを取得できるのである。
【００４６】
〔別実施の形態〕
本発明は、上記した実施の形態以外に以下のように構成しても良い。
【００４７】
（イ）温度調節機構として、ジュール熱を発する構造の電気ヒータと、放熱を行うファンとを組み合わせても良い。このように構成した場合には、ペルチェ素子を用いるものと比較してコストの低減が可能となる。
【００４８】
（ロ）ランク認識手段として、ランクスイッチを用いずに、ランク番号をＥＥＰＲＯＭに保存しておき、制御の実行時にＥＥＰＲＯＭに保存したランク番号を読み出してランクを指定することや、ソフトウエア的なデータをランク番号として外部から伝送するよう構成するよう構成しても良い。
【００４９】
（ハ）複数の発光ダイオードを２次元的に配列して光源部を構成する。このように構成した場合には、光電変換部に２次元型のＣＣＤ等を用いて写真フィルムを移動させずに画像データを取得することが可能となる。
【図面の簡単な説明】
【００５０】
【図１】フィルムスキャナの斜視図
【図２】フィルムスキャナの光学系の斜視図
【図３】光源ユニット部の縦断正面図
【図４】光源ユニットの縦断側面図
【図５】発光ダイオードの支持構造を示す断面図
【図６】散光板の拡大断面図
【図７】温度センサの配置を示す平面図
【図８】制御系のブロック回路図
【図９】波長制御のフローチャート
【図１０】発光ダイオードの温度−波長特性を示すグラフ
【符号の説明】
【００５１】
１            発光ダイオード
１４          ペルチェ素子
１５          フィン
３３          温度制御手段
３５          目標温度更新手段
Ｐ            基板
Ｓ            温度センサ
Ｔｘ          目標温度
【図１】
2005277158.tif 000003
【図２】
2005277158.tif 000004
【図３】
2005277158.tif 000005
【図４】
2005277158.tif 000006
【図５】
2005277158.tif 000007
【図６】
2005277158.tif 000008
【図７】
2005277158.tif 000009
【図８】
2005277158.tif 000010
【図９】
2005277158.tif 000011
【図１０】
2005277158.tif 000012